(57)【要約】【課題】スラスト軸受隙間を精度良くかつ低コストに管理することができる動圧型軸受ユニットを提供する。【解決手段】軸受部材７の端面７ａと封口部材９の内面との間の軸方向寸法が、スラスト軸受隙間Ｃs1、Ｃs2の幅の和とフランジ部３ｂの幅との合計量に等しくなるように、軸受部材７のハウジング５に対する位置が設定されている。これにより、フランジ部３ｂの両端面３ｂ１、３ｂ２と、軸受部材７の端面７ａ及び封口部材９の内面との間に所定値のスラスト軸受隙間Ｃs1、Ｃs2が形成される。【選択図】図１
2004308919.tif 000002
【特許請求の範囲】
【請求項１】
ハウジングと、該ハウジングの内周に固定された軸受部材と、軸部およびフランジ部を有する軸部材と、前記ハウジングの一端部を封口する封口部材と、前記軸部材の軸部の外周面と前記軸受部材の内周面との間に設けられ、ラジアル軸受隙間に生じる流体の動圧作用で前記軸部をラジアル方向に非接触支持するラジアル軸受部と、前記軸部材のフランジ部の両端面と、前記軸受部材の端面及び前記封口部材の内面との間に設けられ、スラスト軸受隙間に生じる流体の動圧作用で前記フランジ部をスラスト方向に非接触支持するスラスト軸受部とを備え、
前記軸受部材の端面と前記封口部材の内面との間の軸方向寸法が、前記フランジ部の幅と前記スラスト軸受隙間との合計量に等しくなるように、前記軸受部材の前記ハウジングに対する位置が決められていることにより、前記スラスト軸受隙間が所定値に設定されている動圧型軸受装置。
【発明の詳細な説明】
【技術分野】
【０００１】
本発明は、動圧型軸受ユニットに関するものである。この軸受ユニットは、特に情報機器、例えばＨＤＤ、ＦＤＤ等の磁気ディスク装置、ＣＤ−ＲＯＭ、ＤＶＤ−ＲＯＭ等の光ディスク装置、ＭＤ、ＭＯ等の光磁気ディスク装置などのスピンドルモータ、あるいはレーザビームプリンタ（ＬＢＰ）のポリゴンスキャナモータなどのスピンドル支持用として好適なものである。
【背景技術】
【０００２】
上記各種情報機器のスピンドルモータには、高回転精度の他、高速化、低コスト化、低騒音化などが求められている。これらの要求性能を決定づける構成要素の一つに当該モータのスピンドルを支持する軸受があり、近年では、この種の軸受として上記要求性能に優れた特性を有する動圧型軸受の使用が検討され、あるいは実際に使用されている（例えば、特許文献１）。
【特許文献１】特開平１１−２３０１６１号公報
【発明の開示】
【発明が解決しようとする課題】
【０００３】
動圧型軸受は、軸部材と軸受部材との相対回転時にラジアル軸受隙間やスラスト軸受隙間で流体動圧を発生させて両部材を非接触支持するものであるが、従来の動圧型軸受ユニットでは、スラスト軸受隙間を精度良く管理するために寸法測定等の煩雑な作業を要し、組立工数の増大によるコスト増が問題点として指摘されている。
【０００４】
本発明の課題は、スラスト軸受隙間を精度良くかつ低コストに管理することができる動圧型軸受ユニットを提供することにある。
【課題を解決するための手段】
【０００５】
上記課題を解決するため、本発明は、ハウジングと、ハウジングの内周に固定された軸受部材と、軸部およびフランジ部を有する軸部材と、ハウジングの一端部を封口する封口部材と、軸部材の軸部の外周面と軸受部材の内周面との間に設けられ、ラジアル軸受隙間に生じる流体の動圧作用で軸部をラジアル方向に非接触支持するラジアル軸受部と、軸部材のフランジ部の両端面と、軸受部材の端面及び封口部材の内面との間に設けられ、スラスト軸受隙間に生じる流体の動圧作用でフランジ部をスラスト方向に非接触支持するスラスト軸受部とを備え、軸受部材の端面と封口部材の内面との間の軸方向寸法が、フランジ部の幅とスラスト軸受隙間との合計量に等しくなるように、軸受部材のハウジングに対する位置が決められていることにより、スラスト軸受隙間が所定値に設定されている動圧型軸受装置を提供する。
【発明の効果】
【０００６】
本発明の動圧型軸受ユニットは、スラスト軸受隙間が精度良く設定されているので、軸部材と軸受部材との相対回転時における、スラスト軸受面同士の接触やスラスト軸受隙間内での動圧不足による不安定回転がなく、高い回転精度を有する。
【０００７】
また、本発明の動圧型軸受ユニットは、スラスト軸受隙間を簡単な工程で精度良く形成することができるので、低コスト化を図りつつ軸受性能の安定性や信頼性を高めることができる。
【発明を実施するための最良の形態】
【０００８】
以下、図１および図２に基づいて本発明の一実施形態を説明する。
【０００９】
この実施形態の動圧型軸受ユニット１は、軸部材３と、ハウジング５と、ハウジング５の内周に固定された軸受部材７とを主な構成部材とする。ハウジング５の一端開口部は封口部材９によって封口され、他端開口部は図示されていないシールワッシャ等のシール部材で密封される。軸部材３は、軸部３ａと、軸部３ａの一端部に設けられたフランジ部３ｂとを有し、軸部３ａを軸受部材７の内周に、フランジ部３ｂを軸受部材７とハウジング５の底部を構成する封口部材９との間に配置してユニット内に収容される。軸部材３の軸部３ａとフランジ部３ｂは一体構造としても良いし、別体構造としても良い。
【００１０】
軸受部材７は、軟質金属や油を含浸させた焼結金属等で形成される。軸受部材７の内周面には、複数の動圧溝を有するラジアル軸受面１１ａがプレス加工による転写、転造等によって形成され、これより軸部材３と軸受部材７との相対回転時（本実施形態では軸部材３の回転時）に、ラジアル軸受面１１ａと軸部３ａの外周面との間のラジアル軸受隙間Ｃｒに満たされた流体（例えば潤滑油）の動圧が生じ、この動圧作用によって軸部３ａをラジアル方向で非接触支持するラジアル軸受部１１が構成される。
【００１１】
フランジ部２ｂの軸方向両側には、軸方向の隙間であるスラスト軸受隙間Ｃs1、Ｃs2が設けられる。スラスト軸受隙間Ｃs1は、フランジ部３ｂの一方の端面３b1とこれに対向する軸受部材７の端面７ａとの間に形成され、他方のスラスト軸受隙間Ｃs2は、フランジ部３ｂの他方の端面３b2と、当該端面３b2に対向する封口部材９の内面との間に形成される。スラスト軸受隙間Ｃs1、Ｃs2に面する端面、例えばフランジ部の両端面３b1、３b2には、それぞれ動圧発生用の動圧溝を有するスラスト軸受面1３ａ、１３ｂがプレス加工等によって形成され、これより上記回転時に、スラスト軸受隙間Ｃs1、Ｃs2に上記流体動圧が発生し、フランジ部３ｂをスラスト方向両側から非接触支持するスラスト軸受部１３が構成される。
【００１２】
上記ラジアル軸受面1１ａおよびスラスト軸受面1３ａ、１３ｂの動圧溝形状は任意に選択することができ、公知のへリングボーン型、スパイラル型、ステップ型、多円弧型等の何れかを選択し、あるいはこれらを適宜組合わせて使用することができる。
【００１３】
この動圧型軸受ユニット１は図２に示す手順で組立てられる。なお、この組立時においては、動圧溝を有するラジアル軸受面１１ａやスラスト軸受面１３ａ、１３ｂの加工は既に完了している。
【００１４】
先ず、ハウジングの一端開口側に治具１５を配置する。この治具１５は、基準面１５ａと、基準面１５ａに対してスラスト軸受隙間Ｃs1、Ｃs2の幅の和に相当する分δだけ突出した当接面１５ｂとを有するもので、δ＝５〜２０μｍ程度に設定される。治具１５は、基準面１５ａをハウジング５の一端開口部に設けられた係合部５ａに係合させ、かつ当接面１５ｂをハウジング５の内周に配置した状態でハウジング５の一端開口部に挿入されている。従って、治具１５の当接面１５ｂは、ハウジング５の係合部５ａに対して、ハウジング５の内部側に寸法δだけ突出した位置にある。
【００１５】
次に、この状態でハウジング５の他端開口側から軸部材３を挿入し、フランジ部３ｂの端面３b2を治具１５の当接面１５ｂに当接させる。これにより、軸部材３は、フランジ部３ｂの端面３b2がハウジング５の係合部５ａから寸法δの位置に位置決め保持される。この状態で、軸受部材７をハウジング５および軸部材３の軸部３ａに挿入し（軸受部材７の外周をハウジング５の内周に内挿すると共に、軸受部材７の内周を軸部材３の軸部３ａに外挿し）、その端面７ａをフランジ部３ｂの端面３b1に当接させ、その位置で、軸受部材７をハウジング５内周に固定する。これにより、軸受部材７のハウジング５に対する位置が精度良く決まる。すなわち、軸受部材７は、その端面７ａがハウジング５の係合部５ａから（寸法δ＋フランジ部３ｂの幅）の位置に位置決め固定される。寸法δはスラスト軸受隙間Ｃs1、Ｃs2の幅の和に等しく、軸受部材７の端面７ａと係合部５ａとの間の軸方向寸法は、スラスト軸受隙間Ｃs1、Ｃs2の幅の和とフランジ部３ｂの幅との合計量に等しくなる。なお、軸受部材７の固定方法としては、圧入や接着が考えられる。
【００１６】
次に、治具１５をハウジング５の一端開口部から取り外し、その後、ハウジング５の係合部５ａに封口部材９を嵌合して接着等の手段で固定する。これにより、図１に示す形態の軸受ユニット１が得られる。軸受ユニット１において、軸受部材７の端面７ａと封口部材９の内面との間の軸方向寸法は、スラスト軸受隙間Ｃs1、Ｃs2の幅の和とフランジ部３ｂの幅との合計量に等しく、これにより、フランジ部３ｂの両端面３ｂ１、３ｂ２と、軸受部材７の端面７ａ及び封口部材９の内面との間に所定値のスラスト軸受隙間Ｃs1、Ｃs2が形成される。
【図面の簡単な説明】
【００１７】
【図１】本発明にかかる動圧型軸受ユニットの断面図である。
【図２】本発明にかかる動圧型軸受ユニットの製造方法を示す断面図である。
【符号の説明】
【００１８】
１      動圧型軸受ユニット
３      軸部材
３ａ    軸部
３ｂ    フランジ部
５      ハウジング
５ａ    係合部
７      軸受部材
７ａ    端面
９      封口部材
１１    ラジアル軸受部
１１ａ  ラジアル軸受面
１３    スラスト軸受部
１３ａ  スラスト軸受面
１３ｂ  スラスト軸受面
Ｃｒ    ラジアル軸受隙間
Ｃs1    スラスト軸受隙間
Ｃs2    スラスト軸受隙間
【図１】
2004308919.tif 000003
【図２】
2004308919.tif 000004